(57)【特許請求の範囲】
【請求項１】
吹出口に配置され一側の縁部の一端寄りに枢持軸受が上記一端に対向した他端寄りに回動軸受が設けられ、上記枢持軸受を介して上記吹出口の内壁に枢着され回動変位して風向を変更する第１種ベーンと、この第１種ベーンと同様に構成されて上記吹出口に上記第１種ベーンから離れて配置され、上記第１種ベーンの枢持軸受対応位置に枢持軸受が設けられ、上記第１種ベーンの枢持軸受及び回動軸受の相互間隔よりも短い間隔で配置されて上記第１種ベーンの回動軸受対応位置に回動軸受が設けられて上記第１種ベーンと同様に回動変位して風向を変更する第２種ベーンと、上記第１種ベーンと同様に構成されて上記吹出口に配置され、上記第１種ベーン及び第２種ベーンの間に互いに離れて複数枚が設けられ、上記第１種ベーンの枢持軸受対応位置に枢持軸受が設けられ、この枢持軸受が配置された縁部にこの縁部の長手に沿う長穴を有する係合部及び上記長穴の直上部に設けられた軸受部が形成され上記第１種ベーンと同様に回動変位して風向を変更する第３種ベーンと、両端部にそれぞれ上記第１種ベーン及び第２種ベーンの回動軸受に枢持された連結軸が設けられ、中間部に上記第３種ベーンの係合部の長穴のみに移動可能に嵌合された中間連結軸及び上記第３種ベーン相互の中央に配置された第３種ベーンの係合部長穴に挿通されてその第３種ベーンの軸受部の枢着された中間結合軸が設けられた連結腕とを備えた空気調和装置の風向調整装置。
【請求項２】
吹出口に配置されて回動変位して風向を変更するベーンと、このベーンの一側の縁部に設けられて環状の一側が切欠されたＣ字状をなす枢持軸受と、上下それぞれにフランジが形成されて枢持軸受に抱持状態に嵌合されたスリーブと、上記吹出口の内壁に立設されて上記スリーブに挿通され上端に上記スリーブ上縁に係合する爪が突設された軸とを備えた空気調和装置の風向調整装置。
【発明の詳細な説明】
【０００１】
【産業上の利用分野】
本発明は、吹出口に設けられる空気調和装置の風向調整装置に関するものである。
【０００２】
【従来の技術】
図１５〜図１７は、例えば実開昭５８−６９７３５号公報に示された従来の空気調和装置の風向調整装置を示す図で、図１５は空気調和装置本体の斜視図、図１６は図１５の横断面図、図１７は同じく図１５の縦断面図である。
図中、(1)は空気調和装置本体、(2)は本体(1)の前面を覆い吸込口(3)を有する前面パネル、(4)は本体(1)の前面下部に開口を有する吹出口、(5)は吸込口(3)に面して配置された熱交換器、(6)は本体(1)内に設けられ、風路(13)を形成するケーシング、(7)は吹出口(4)に設けられ左右端部に装着された軸(16)により前面パネル(2)の左右側壁(11)(15)に枢着され風向を水平、直下および斜めの各方向に変換するチェンジベーン、(8)は吹出ノズル(9)の左右辺部の壁(10)(14)間に複数枚並設され枢軸(17)で枢持され、風向を左右に変換するガイドベーン、(9)はケーシング(6)の下方に配置され、ケーシング(6)と共に風路を形成する吹出ノズル、(12)は風路(13)の吹出口(4)側に設置され、電動機(18)で駆動される送風機、(19)は軸(16)に係止されたコイルばねである。
また、図１８は図１７の右側ガイドベーン付近の詳細説明図、図１９は図１８に示したガイドベーンの斜視図である。
図中、(20)は軸(21)でガイドベーン(8)に枢着され、複数のガイドベーン(8)
を同時に左右の任意角度に向けるための左右変更ロッドである。
【０００３】
次に動作について説明する。従来の空気調和装置は上記のように構成され、送風機(12)が駆動されると、室内空気は吸込口(3)から吸い込まれ、熱交換器(5)を通過して冷房時は冷却、暖房時は昇温され、風路(13)を下降して吹出口(4)から室内へ吹出される。この風の流れを矢印Ｕで示す。この風の上下方向の向きはチェンジベーン(7)で、左右方向の向きはガイドベーン(8)で調整される。ここで、ガイドベーン(8)と左右変更ロッド(20)を枢持している軸(21)とガイドベーン(8)を枢持している軸(17)とは、各々一定の間隔を成して固定されているため、全てのガイドベーン(8)は左右変更ロッド(20)に与えた変位量＋Ａのために同一の方向に向くように制御される。
ここに、チェンジベーン(7)およびガイドベーン(8)は意匠上の制約から前面パネル(2)より外部に露出させることができず、さらにチェンジベーン(7)は吹出し口を閉塞するカバーを兼用するため吹出し口最外部に配置する必要がある。従って、ガイドベーン(8)はチェンジベーン(7)よりさらに吹出し口より奥側に配置せざるを得ない。この場合の風向調整装置の作用は、図１８に示すように、例えば左右変更ロッド(20)を右へ変位量＋Ａだけ変更させ、右方向に風が吹出すようにガイドベーン(8)を向けた場合、一番右側のノズル(9)の右辺部の壁面(14)および前面パネル(2)の右側壁面(15)に当たって反射するか、または前方への直進流に偏向されて吹出される。ここで、ガイドベーンを向けた方向への風の流れをＷ２、右側壁面(15)に当たって反射するかまたは前方への直進流に偏向されて吹出される風の流れをＶ２とする。ガイドベーン(8)によって設定された吹出し流れＷ２は、最右端部において右側壁面(15)に反射しながら吹出される流れＶ２の影響を受けて、(Ｖ２＋Ｗ２)のベクトル合成方向に偏向される。そのため、空気調和機の左右の斜め方向へ吹出し風向を設定しても、この(Ｖ２＋Ｗ２)の合成方向の流れの影響を受けて、空気調和機の正面方向に偏向され、正確に吹出し方向を設定できなかった。
【０００４】
また、図２０及び図２１は、例えば実開昭６３−１４７６５０号公報に示された他の従来の空気調和機の風向変更装置を示す図で、図２０は横断面図、図２１は図２０の装置の動作状態を説明した図である。図において、(201)は吹出口、(202)は吹出口(201)の内壁、(203)は吹出口(201)に複数枚がほぼ等間隔で配置されて風向を変更するベーンで、図２０に示すように図２０における左右にそれぞれ複数枚からなる一組がそれぞれ設けられている。
(204)は内壁(202)に立設されてベーン(203)のそれぞれに配置され、ベーン(203)の一側の縁部の一端寄りを枢持した軸である。
【０００５】
(205)は一組のベーン(203)を連結した連結腕で、それぞれのベーン(203)の軸(204)が配置された縁部の他端寄りを枢持した連結軸(206)が設けられ、また、図２０における中心寄りのベーン(203)の軸(204)と連結軸(206)の間隔は、図２０における外側寄りのベーン(203)の軸(204)と連結軸(206)の間隔よりも短く設定され、図２０に示すように各ベーン(203)の軸(204)を結ぶ線に対して傾斜して配置されている。
【０００６】
図２０及び図２１に示す他の従来の空気調和機の風向変更装置は上記のように構成され、図２１に示すように左右それぞれ一組のベーン(203)を互いに図２１において下側が広がる向きに配置して使用される。この状態で図２１の中心寄りのベーン(203)の傾斜は、外側寄りのベーン(203)よりも水平に近づくので、それぞれのベーン(203)によって偏向する風向角も図２１に実線で示す矢印のように、中心寄りのベーン(203)の傾斜は外側寄りのベーン(203)よりも水平に近づく。
また、一組のベーン(203)の相互の中間部は狭い隙間が形成されるので、この隙間から吹出す風(207)は円滑に流れないため弱くなり、周囲の二次空気(208)を巻き込みベーン(203)に露(209)が生成される。
【０００７】
【発明が解決しようとする課題】
上記のような従来の空気調和装置の風向調整装置において、図２０及び図２１に示すような空気調和機の風向変更装置では、それぞれのベーン(203)は軸(204)と連結軸(206)の間隔をベーン(203)の配置位置によって順次変化させて製作することが必要となる。このため、ベーン(203)の製作、組立に煩雑な手数が掛かるという問題点があった。
また、一組のベーン(203)の相互の中間部は狭い隙間が形成され、この隙間から吹出す風(207)が弱く、周囲の二次空気(208)を巻き込みベーン(203)に露(209)が生成して滴下するという問題点があった。
また、ベーン(203)の枢着箇所において回動動作が不円滑となったり、枢着箇所において騒音が発生したりするという問題点があった。
【０００８】
この発明は上記のような問題点を解消するためになされたものであり、この発明の目的は容易に製作、組立でき、またベーンが円滑に回動動作すると共に、ベーン箇所における騒音が少ない空気調和機の風向変更装置を得ることを目的とする。
【０００９】
【課題を解決するための手段】
この発明の請求項１記載の発明に係る空気調和機の風向変更装置においては、吹出口に配置され一側の縁部の一端寄りに枢持軸受が上記一端に対向した他端寄りに回動軸受が設けられ、枢持軸受を介して吹出口の内壁に枢着され回動変位して風向を変更する第１種ベーンと、この第１種ベーンと同様に構成されて吹出口に第１種ベーンから離れて配置され、第１種ベーンの枢持軸受対応位置に枢持軸受が設けられ、第１種ベーンの枢持軸受及び回動軸受の相互間隔よりも短い間隔で配置されて第１種ベーンの回動軸受対応位置に回動軸受が設けられて第１種ベーンと同様に回動変位して風向を変更する第２種ベーンと、上記第１種ベーンと同様に構成されて吹出口に配置され、第１種ベーン及び第２種ベーンの間に互いに離れて複数枚が設けられ、第１種ベーンの枢持軸受対応位置に枢持軸受が設けられ、この枢持軸受が配置された縁部にこの縁部の長手に沿う長穴を有する係合部及び長穴の直上部に設けられた軸受部が形成され第１種ベーンと同様に回動変位して風向を変更する第３種ベーンと、両端部にそれぞれ第１種ベーン及び第２種ベーンの回動軸受に枢持された連結軸が設けられ、中間部に上記第３種ベーンの係合部の長穴のみに移動可能に嵌合された中間連結軸及び上記第３種ベーン相互の中央に配置された第３種ベーンの係合部長穴に挿通されてその第３種ベーンの軸受部の枢着された中間結合軸を有する連結腕とが設けられる。
【００１０】
また、この発明の請求項２記載の発明に係る空気調和機の風向変更装置においては、吹出口に配置されて回動変位して風向を変更するベーンと、このベーンの一側の縁部に設けられて環状の一側が切欠されてＣ字状に形成され枢持軸受と、上下それぞれにフランジが形成されて枢持軸受に抱持状態に嵌合されたスリーブと、吹出口の内壁に立設されてスリーブに挿通され、上端にスリーブ上縁に係合する爪が突設された軸とが設けられる。
【００１１】
【作用】
また、上記のように構成されたこの発明の請求項１記載の発明では、複数枚からなる一組のベーンの中間位置に複数枚の第３種ベーンが配置されることによりベーンの種類が少なくなる。また、複数枚の第３種ベーンのうち中間位置の第３種ベーンは中間結合軸により連結軸の所定位置に枢持される。
【００１２】
また、上記のように構成されたこの発明の請求項２記載の発明では、吹出口に設けられたベーンが吹出口の内壁から立設された軸にスリーブ及び枢持軸受を介して枢着される。
【００１３】
【実施例】
実施例１．
図１及び図２は、この発明の一実施例を示す図で、図１は斜視図、図２は図１の要部拡大斜視図であり、図１及び図２の他は前述の図２０と同様に構成されている。図において、(201)は吹出口、(202)は吹出口(201)の内壁、(231)は吹出口(1)の一側の内壁(201)寄りに配置された第１種ベーン、(210)は環状の一側が切欠されてＣ字状をなす枢持軸受で、第１種ベーン(231)の一側の縁部の一端寄りに設けられている。
(211)は第１種ベーン(231)の枢持軸受(210)が設けられた縁部の他端寄りに設けられた回動軸受、(232)は一組のベーンの反第１種ベーン(231)側に配置された第２種ベーンで、第１種ベーン(231)と同様に構成されて枢持軸受(210)と回動軸受(211)の両者が設けられ、この両者の間隔が第１種ベーン(231)よりも接近して配置されている。
【００１４】
(233)は第１種ベーン(231)と第２種ベーン(232)の間に互いに離れて複数枚が設けられた第３種ベーンで、第１種ベーン(231)と同様に構成されて第１種ベーン(231)の枢持軸受(210)のに対応した位置に枢持軸受(210)が設けられ、この枢持軸受(210)が設けられた縁部の他端寄りにこの縁部の長手に沿う長穴(212)を有する係合部(213)が形成されている。
(214)は第１種ベーン(231)、第２種ベーン(232)及び第３種ベーン(233)の反枢持軸受(210)側の端部に沿って配置された連結腕で、両端部にそれぞれ第１種ベーン(231)及び第２種ベーン(232)の回動軸受(211)に枢持された連結軸(215)が設けられ、中間部に第３種ベーン(233)の係合部(213)の長穴(212)にそれぞれ移動可能に嵌合された中間連結軸(216)が設けられている。
【００１５】
上記のように構成された空気調和機の風向変更装置においては、前述の図２１に示すように左右それぞれ一組のベーンを、互いに図２１において下側が広がる向きに配置する場合に次に述べるように動作する。すなわち、第１種ベーン(231)、第２種ベーン(232)及び第３種ベーン(233)の反枢持軸受(210)側の端部がそれぞれ連結腕(214)に係合され、特に第３種ベーン(233)は係合部(213)の長穴(212)に移動可能に嵌合された中間連結軸(216)によって係合されている。
このため、連結腕(214)の長手に沿う方向の移動によって第１種ベーン(231)、第２種ベーン(232)及び第３種ベーン(233)がそれぞれ変位して図２１の場合と同様に傾斜姿勢に配置される。
【００１６】
このため、第３種ベーン(233)はそれぞれの枢持軸受(210)と係合部(213)の間隔を第３種ベーン(233)の配置位置によって順次変化させて製作することが不必要となる。このため、第３種ベーン(233)を容易に製作でき、空気調和機の風向変更装置を簡易な作業によって組立てることができる。
【００１７】
実施例２．
図３及び図４は、この発明の他の実施例を示す図で、図３は吹出口の横断平面図、図４は図３の要部拡大斜視図であり、図３及び図４の他は前述の図２０と同様に構成されている。図において、(201)は吹出口、(202)は吹出口(201)の内壁、(231)は吹出口(201)の一側の内壁(202)寄りに配置された第１種ベーン、(210)は環状の一側が切欠されてＣ字状をなす枢持軸受で、第１種ベーン(231)の一側の縁部の一端寄りに設けられている。
【００１８】
(211)は第１種ベーン(231)の枢持軸受(210)が設けられた縁部の他端寄りに設けられた回動軸受、(232)は一組のベーンの反第１種ベーン(231)側に配置された第２種ベーンで、第１種ベーン(231)と同様に構成されて枢持軸受(210)と回動軸受(211)の両者が設けられ、この両者の間隔が第１種ベーン(231)よりも接近して配置されている。
【００１９】
(233)は第１種ベーン(231)と第２種ベーン(232)の間に互いに離れて複数枚が設けられた第３種ベーンで、第１種ベーン(231)と同様に構成されて第１種ベーン(231)の枢持軸受(210)に対応した位置に枢持軸受(210)が設けられ、この枢持軸受(210)が設けられた縁部の他端寄りにこの縁部の長手に沿う長穴(212)を有する係合部(213)が形成され、また、長穴(212)の直上部に軸受部(217)が設けられている。
(214)は第１種ベーン(231)、第２種ベーン(232)及び第３種ベーン(233)の反枢持軸受(210)側の端部に沿って配置された連結腕である。
【００２０】
また連結腕(214)は、両端部にそれぞれ第１種ベーン(231)及び第２種ベーン(232)の回動軸受(211)に枢持された連結軸(215)が設けられ、中間部に第３種ベーン(233)の係合部(213)の長穴(212)のみに移動可能に嵌合された中間連結軸(216)が設けられると共に、第３種ベーン(233)相互の中央に配置された第３種ベーン(233)の係合部(213)長穴(212)に挿通されてその第３種ベーン(233)の軸受部(217)に枢着された中間結合軸(218)が設けられている。
【００２１】
上記のように構成された空気調和機の風向変更装置においては、前述の図２１に示すように左右それぞれ一組のベーンを、互いに図２１において下側が広がる向きに配置する場合に次に述べるように動作する。すなわち、第１種ベーン(231)、第２種ベーン(232)及び第３種ベーン(233)の反枢持軸受(210)側の端部がそれぞれ連結腕(214)に係合され、特に第３種ベーン(233)は係合部(213)の長穴(212)に移動可能に嵌合された中間連結軸(216)によって係合され、また、第３種ベーン(233)相互の中央に配置された第３種ベーン(233)は軸受部(217)に枢着された中間結合軸(218)によって結合されている。このため、連結腕(214)の長手に沿う方向の移動によって第１種ベーン(231)、第２種ベーン(232)及び第３種ベーン(233)がそれぞれ変位して図２１の場合と同様に傾斜姿勢に配置される。
【００２２】
したがって、第３種ベーン(233)はそれぞれの枢持軸受(210)と係合部(213)の間隔を第３種ベーン(233)の配置位置によって順次変化させて製作することが不必要となる。このため、第３種ベーン(233)を容易に製作でき、空気調和機の風向変更装置を簡易な作業によって組立てることができる。
また、図３及び図４の実施例において、第３種ベーン(233)相互の中央に配置された第３種ベーン(233)は軸受部(217)に枢着された中間結合軸(218)を介して連結腕(214)に結合されているので、送風によって図３に鎖線によって示すように連結腕(214)が撓んで第３種ベーン(233)の傾斜角度が所定値からずれて風向変更作用が得られなくなる不具合の発生を防ぐことができる。
【００２３】
実施例３．
図５及び図６も、この発明の他の実施例を示す図で、図５はベーンの正面図、図６は図５のＸ−Ｘ線断面拡大図であり、図５及び図６の他は前述の図２０と同様に構成されている。図において、(232)は吹出口(201)の中央寄りに配置された第２種ベーン、(210)は環状の一側が切欠されてＣ字状をなす枢持軸受で、第２種ベーン(232)の一側の縁部の一端寄りに設けられている。
(219)は第２種ベーン(232)の平面部の両面にそれぞれ設けられ、複数本が互いに離れて平行に配置された幅３mm、深さ０．５mm程度の露受け用水平溝からなる露受け凹所、(209)は第２種ベーン(232)に生成して露受け凹所(219)に付着した露である。
【００２４】
上記のように構成された空気調和機の風向変更装置において、前述の図２１に示すように左右それぞれ一組のベーンが、互いに図２１において下側が広がる向きに配置される。この場合に左右それぞれ一組のベーンが対向する中心部は第２種ベーン(232)相互に狭い隙間が形成される。このため、この隙間から図２１に示す吹出す風(207)が弱く、周囲の二次空気(208)を巻き込み第２種ベーン(232)に露(209)が生成されて滴下する。しかし、生成した露(209)が露受け凹所(219)に保留されるので露(209)の滴下を防ぐことができる。
【００２５】
また、図５及び図６の実施例を応用して空気調和機の風向変更装置を図７〜図１０に示すように容易に構成することができる。すなわち、図７は前述の図５に相当する斜視図、図８〜図１０はそれぞれ図７のＹ−Ｙ線断面を例示する図である。図において、(219)は第２種ベーン(232)の平面部の両面にそれぞれ図８〜図１０に例示した各種の横断面形状に設けられ、互いに離れて配置された複数個の露受け用凹部からなる露受け凹所、(209)は第２種ベーン(232)に生成して露受け凹所(219)に付着した露である。
図７〜図１０の構成においても第２種ベーン(232)に生成した露(209)が露受け凹所(19)に保留される。したがって、詳細な説明を省略するが図７〜図１０の構成においても図５及び図６の実施例と同様な作用が得られることは明白である。
【００２６】
実施例４．
図１１〜図１４も、この発明の他の実施例を示す図で、図１１はベーンの斜視図、図１２は図１１の枢持軸受に嵌合されるスリーブの斜視図、図１３は吹出口の内壁に立設された軸の斜視図、図１４は図１１の枢持軸受、図１２のスリーブ及び図１３の軸の組立状態を示す縦断面図であり、図１１〜図１４の他は前述の図２０と同様に構成されている。図において、(210)は環状の一側が切欠されてＣ字状をなす枢持軸受で、ベーン(203)の一側の縁部の一端寄りに設けられ下側にフランジ(220)が設けられている。
(211)は上下にそれぞれフランジ(222)が形成されて枢持軸受(210)に抱持状態に嵌合されるスリーブ、(204)は吹出口(201)の内壁(202)から立設されてスリーブ(221)に嵌合される軸で、上端部に溝(223)及び突出してスリーブ(221)の逸脱を阻止する爪(224)が設けられている。
【００２７】
上記のように構成された空気調和機の風向変更装置において、前述の図２１に示すようにベーン(203)が左右それぞれ一組に組み立てられる。そして、一組のベーンが互いに図２１において下側が広がる向き等に回動可能に配置される。また、それぞれのベーン(203)は図１４に示すように吹出口(201)の内壁(202)から立設された軸(204)に、スリーブ(221)及び枢持軸受(210)を介して枢着される。
これによって、各ベーン(203)は軸(204)に対して円滑に回動動作し、また、軸(204)に直交する方向の荷重が作用してもフランジ(220)によって保持されるので、逸脱の発生を防ぐことができる。したがって、枢持軸受(210)とスリーブ(221)は前組立が可能であり容易に組立でき、また、ベーン(203)の枢着箇所における回動動作を円滑化することができる。さらに、枢着箇所における騒音が少なく環境を静粛化することができる。
【００２８】
【発明の効果】
この発明の請求項１記載の発明は以上説明したように、吹出口に配置され一側の縁部の一端寄りに枢持軸受が上記一端に対向した他端寄りに回動軸受が設けられ、枢持軸受を介して吹出口の内壁に枢着され回動変位して風向を変更する第１種ベーンと、この第１種ベーンと同様に構成されて吹出口に第１種ベーンから離れて配置され、第１種ベーンの枢持軸受対応位置に枢持軸受が設けられ、第１種ベーンの枢持軸受及び回動軸受の相互間隔よりも短い間隔で配置されて第１種ベーンの回動軸受対応位置に回動軸受が設けられて第１種ベーンと同様に回動変位して風向を変更する第２種ベーンと、第１種ベーンと同様に構成されて吹出口に配置され、第１種ベーン及び第２種ベーンの間に互いに離れて複数枚が設けられ、第１種ベーンの枢持軸受対応位置に枢持軸受が設けられ、この枢持軸受が配置された縁部にこの縁部の長手に沿う長穴を有する係合部及び長穴の直上部に設けられた軸受部が形成され第１種ベーンと同様に回動変位して風向を変更する第３種ベーンと、両端部にそれぞれ第１種ベーン及び第２種ベーンの回動軸受に枢持された連結軸が設けられ、中間部に上記第３種ベーンの係合部の長穴のみに移動可能に嵌合された中間連結軸及び上記第３種ベーン相互の中央に配置された第３種ベーンの係合部長穴に挿通されてその第３種ベーンの軸受部の枢着された中間結合軸を有する連結腕とを設けたものである。
【００２９】
これによって、複数枚からなる一組のベーンの中間位置に複数枚の第３種ベーンが配置されてベーンの種類が少なくなる。また、複数枚の第３種ベーンのうち中間位置の第３種ベーンは中間結合軸により連結軸の所定位置に枢持される。したがって、それぞれの第３種ベーンは枢持軸受と係合部の間隔を配置位置によって順次変化させて製作することが不必要となり、製作及び組立を簡易化することができて製造費を節減する効果がある。また、中間結合軸を介して連結腕に結合された第３種ベーンにより連結腕の撓みが抑制されて、第３種ベーンの傾斜を所定角度に保持して所要の風向変更作用を得る効果がある。
【００３０】
また、この発明の請求項２記載の発明は以上説明したように、吹出口に配置されて回動変位して風向を変更するベーンと、このベーンの一側の縁部に設けられて環状の一側が切欠されてＣ字状に形成され枢持軸受と、上下それぞれにフランジが形成されて枢持軸受に抱持状態に嵌合されたスリーブと、吹出口の内壁に立設されてスリーブに挿通され、上端にスリーブ上縁に係合する爪が突設された軸とを設けたものである。
【００３１】
これによって、吹出口に設けられたベーンが吹出口の内壁から立設された軸にスリーブ及び枢持軸受を介して枢着される。したがって、ベーンの枢着箇所における回動動作を円滑化する効果があり、また、枢着箇所における騒音が少なく環境を静粛化する効果がある。
【図面の簡単な説明】
【図１】  この発明の実施例１を示す斜視図。
【図２】  図１の要部拡大斜視図。
【図３】  この発明の実施例２を示す吹出口の横断平面図。
【図４】  図３の要部拡大斜視図。
【図５】  この発明の実施例３を示すベーンの正面図。
【図６】  図５のＸ−Ｘ線断面拡大図。
【図７】  この発明の実施例３の応用例を示す図であり、前述の図５に相当する斜視図。
【図８】  図７のＹ−Ｙ線断面の一例を示す図。
【図９】  図７のＹ−Ｙ線断面の他の例を示す図。
【図１０】  図７のＹ−Ｙ線断面の他の例を示す図。
【図１１】  この発明の実施例４を示すベーンの斜視図。
【図１２】  図１１の枢持軸受に嵌合されるスリーブの斜視図。
【図１３】  図１１のベーンに対応して吹出口の内壁に立設された軸の斜視図。
【図１４】  図１１の枢持軸受、図１２のスリーブ及び図１３の軸の組立状態を示す縦断面図。
【図１５】  従来の空気調和装置を示す斜視図。
【図１６】  従来の空気調和装置を示す横断面図。
【図１７】  従来の空気調和装置を示す縦断面図。
【図１８】  従来の風向調整装置の右側ガイドベーン付近の詳細説明図。
【図１９】  従来の風向調整装置のガイドベーンの斜視図。
【図２０】  従来の空気調和機の風向変更装置を示す横断面図。
【図２１】  図２０の装置の動作状態を説明した図。
【符号の説明】
１  空気調和装置の本体、    ４  吹出口、    ９  吹出ノズル、    １１  左側壁、    １３  風路、    ２０１  吹出口、    ２０２  内壁、    ２０３  ベーン、    ２０４  軸、    ２１０  枢持軸受、    ２１１  回動軸受、    ２１２  長穴、    ２１３  係合部、    ２１４  連結腕、    ２１５  連結軸、    ２１６  中間連結軸、    ２１７  軸受部、    ２１８  中間結合軸    ２１９  露受け凹所、    ２２１  スリーブ、    ２２４  爪、    ２３１  第１種ベーン、    ２３２  第２種ベーン、    ２３３  第３種ベーン。
【図１】
0003782758.tif 000002
【図２】
0003782758.tif 000003
【図３】
0003782758.tif 000004
【図４】
0003782758.tif 000005
【図５】
0003782758.tif 000006
【図６】
0003782758.tif 000007
【図７】
0003782758.tif 000008
【図８】
0003782758.tif 000009
【図９】
0003782758.tif 000010
【図１０】
0003782758.tif 000011
【図１１】
0003782758.tif 000012
【図１２】
0003782758.tif 000013
【図１３】
0003782758.tif 000014
【図１４】
0003782758.tif 000015
【図１５】
0003782758.tif 000016
【図１６】
0003782758.tif 000017
【図１７】
0003782758.tif 000018
【図１８】
0003782758.tif 000019
【図１９】
0003782758.tif 000020
【図２０】
0003782758.tif 000021
【図２１】
0003782758.tif 000022